(57)【要約】【課題】商品およびテスターの陳列時には物品の収納力を十分に確保でき、かつ、テスターの陳列時にはコンパクト化できる物品陳列台を提供する。【解決手段】商品およびテスターの陳列時には、３つの本体ストッカー２〜４を並べる。この場合、前収納スペース２ａ〜４ａにテスタートレイ６〜１１が収納されるとともに、後収納スペース２ｂ〜４ｂに商品が収納される。また、テスターのみの陳列時には、第１の形態時よりも少ない個数の本体ストッカー３を使用する。この場合、前後の収納スペース３ａ，３ｂのそれぞれにテスタートレイ６，７，９，１０が収納される。【選択図】図１
2005177369.tif 000002
【特許請求の範囲】
【請求項１】
物品陳列台において、
第１の収納スペースおよび第２の収納スペースが並んで設けられた複数の本体ストッカーと、
前記第１の収納スペースおよび前記第２の収納スペースに収納可能な形状をなし、商品のテスターが配置される複数のテスタートレイとを有し、
前記本体ストッカーを複数並べた第１の形態時には、前記第１の収納スペースに前記テスタートレイが収納されるとともに、前記第２の収納スペースに前記商品が収納され、
前記第１の形態時よりも少ない個数の前記本体ストッカーを用いた第２の形態時には、前記第１の収納スペースおよび前記第２の収納スペースのそれぞれに前記テスタートレイが収納されることを特徴とする物品陳列台。
【請求項２】
前記第２の形態時において、前記第２の収納スペースに収納された前記テスタートレイの位置は、前記第２の収納スペースの前方に存在する前記第１の収納スペースに収納された前記テスタートレイの位置よりも高いことを特徴とする請求項１に記載された物品陳列台。
【請求項３】
前記テスタートレイを収納する第３の収納スペースが設けられた背面ストッカーをさらに有し、
前記第２の形態時に、前記本体ストッカーの背面に前記背面ストッカーが配置された状態において、前記第３の収納スペースに収納された前記テスタートレイの位置は、前記第３の収納スペースの前方に存在する前記第２の収納スペースに収納された前記テスタートレイの位置よりも高いことを特徴とする請求項２に記載された物品陳列台。
【発明の詳細な説明】
【技術分野】
【０００１】
本発明は、商品およびテスターを含む物品の陳列に用いられる物品陳列台に係り、特に、用途に応じて、形態を変更可能な物品陳列台に関する。
【背景技術】
【０００２】
従来より、商品やテスターを店頭で陳列する陳列台が知られているが、その陳列構成を変更可能にしたものも提案されている。例えば、特許文献１には、ベース陳列台と、小陳列台とを有する商品陳列台が開示されている。ベース陳列台の左右には、商品としての化粧品を多段に並べる陳列部がそれぞれ形成されており、これらの陳列部の間には、各種の小陳列台を着脱自在に装着可能な収納空間が設けられている。この構成では、装着する小陳列台の種類を変えることにより、陳列構成が変更される。また、特許文献２には、ストライプパネルと、複数のユニットフレームと、複数の種類のユニット類とを有する物品陳列構造が開示されている。ストライプパネルには、着脱自在なユニットフレームが行列状に取り付けられる。それぞれのユニットフレームの内部空間には、着脱自在なユニット類が収納されるが、このユニット類には、例えば商品用またはテスター用といった如く、用途に応じた収納形状が用意されている。この構成では、ストライプパネルに取り付けるべきユニットフレームの個数、そのレイアウト、および、ユニットフレーム内に収納すべきユニット類の種別を選択することにより、所望の陳列構成が実現される。
【０００３】
【特許文献１】特開２０００−２５３９７１号公報
【特許文献２】特開２０００−２９６０３９号公報
【発明の開示】
【発明が解決しようとする課題】
【０００４】
ところで、什器の効率的活用の観点でいえば、商品およびテスターの陳列用、テスターのみの陳列用といった如く、一の陳列台を複数の用途に利用できることが好ましい。その際、商品およびテスターの陳列時には、物品の収納力が重視されるのに対して、テスターのみの陳列時には、収納すべき物品数が比較的少ない関係上、収納力よりもコンパクト化が重視される。しかしながら、上述した特許文献１，２に開示された構成では、用途に応じたこれらのニーズの両立を図ることは困難である。なぜなら、これらの構成では、陳列構成を変更できても、陳列台の形態自体を変更することはできないからである。その結果、収納力を重視すればコンパクト化が阻害され、コンパクト化を重視すれば収納力が阻害されてしまう。
【０００５】
本発明は、かかる事情に鑑みてなされたものであり、その目的は、商品およびテスターの陳列時には物品の収納力を十分に確保でき、かつ、テスターの陳列時にはコンパクト化できる新規な物品陳列台を提供することである。
【課題を解決するための手段】
【０００６】
かかる課題を解決するために、本発明は、第１の収納スペースおよび第２の収納スペースが並んで設けられた複数の本体ストッカーと、第１の収納スペースおよび第２の収納スペースに収納可能な形状をなし、商品のテスターが配置される複数のテスタートレイとを有する物品陳列台を提供する。この物品陳列台の形態は、その用途に応じて、適宜変更可能である。本体ストッカーを複数並べた第１の形態時には、第１の収納スペースにテスタートレイが収納されるとともに、第２の収納スペースに商品が収納される。また、第１の形態時よりも少ない個数の本体ストッカーを用いた第２の形態時には、第１の収納スペースおよび第２の収納スペースのそれぞれにテスタートレイが収納される。
【０００７】
ここで、第２の形態時において、第２の収納スペースに収納されたテスタートレイの位置は、第２の収納スペースの前方に存在する第１の収納スペースに収納されたテスタートレイの位置よりも高いことが好ましい。また、テスタートレイを収納する第３の収納スペースが設けられた背面ストッカーをさらに追加してもよい。この場合、第２の形態時に、本体ストッカーの背面に背面ストッカーが配置された状態において、第３の収納スペースに収納されたテスタートレイの位置は、第３の収納スペースの前方に存在する第２の収納スペースに収納されたテスタートレイの位置よりも高いことが好ましい。
【発明の効果】
【０００８】
本発明によれば、物品陳列台の形態および陳列構成を用途に応じて変えることにより、収納力とコンパクト化との両立を図ることができる。すなわち、商品およびテスターを陳列する場合には、複数の本体ストッカーを並べた第１の形態にすることで、収納力を十分に確保できる。これに対して、テスターを陳列する場合には、第１の形態時よりも少ない個数の本体ストッカーを用いた第２の形態にすることで、第１の形態時よりも物品陳列台がコンパクトになる。この場合、第１および第２の収納スペースの双方にテスタートレイが収納されるので、物品陳列台をコンパクト化したとしても、テスターを収納するのに必要な収納力を確保できる。
【発明を実施するための最良の形態】
【０００９】
図１は、本実施形態にかかるユニット式の物品陳列台を構成するパーツ群の斜視図である。この物品陳列台１に含まれるパーツには、本体ストッカー２〜４、背面ストッカー５およびテスタートレイ６〜１１がある。ただし、すべてのパーツ２〜１１が必ず使用されるわけではなく、これらを選択的に組み合わせることにより、用途に応じた形態で物品陳列台１が形成される。
【００１０】
３つの本体ストッカー２〜４は、矩形状の底面を有する紙製の箱状部材であって、その内部には、幅方向（横方向）の全域に亘って延在する複数の収納スペースが段差状に並んで設けられている。前段に位置する前収納スペース２ａ〜４ａは、底部と、この底部から上方に起立した３つの側壁部（後および左右）とによって囲まれた空間に相当する。また、後段に位置する後収納スペース２ｂ〜４ｂは、底部と、この底部から上方に起立した４つの側壁部（前後および左右）とによって囲まれた空間に相当する。本体ストッカー２〜４のいずれかに着目した場合、前収納スペース２ａ〜４ａの底部および後収納スペース２ｂ〜４ｂの底部は、同一の矩形形状を有し、かつ、大きさも同一である。ただし、後収納スペース２ｂ〜４ｂの底部の方が、前収納スペース２ａ〜４ａのそれよりも高い位置に形成されている。このようなひな段形状については、すべての本体ストッカー２〜４に共通するものの、本体ストッカー２〜４の幅は互いに相違している。一例として、第１の本体ストッカー２の幅はＷ＝600mmに設定されている。また、第２の本体ストッカー３の幅は、第１の本体ストッカー２の幅の３／４倍に相当するＷ＝450mmに設定されており、第３の本体ストッカー４の幅は、第１の本体ストッカー２の幅の１／４倍に相当するＷ＝150mmに設定されている。
【００１１】
背面ストッカー５は、テスターの陳列時のみ用いられるパーツである。この背面ストッカー５は、本体ストッカー２〜４と同様に、矩形状の底面を有する紙製の箱状部材であり、その幅は、第２の本体ストッカー３の幅と同一、すなわち450mmに設定されている。また、背面ストッカー５の一部には、幅方向に延在する単一の収納スペース５ａが設けられている。この収納スペース５ａの幅は、背面ストッカー５の幅（Ｗ＝450mm）の約２／３倍に設定されている。なお、後述する理由から、背面ストッカー５に設けられた収納スペース５ａの底部は、本体ストッカー２〜４に設けられた後収納スペース２ｂ〜４ｂの底部よりも高くなっている。
【００１２】
各種のテスタートレイ６〜１１は、その上面に設けられた凹部にテスターを嵌め入れることにより、テスターを配置・収納する。これらのテスタートレイ６〜１１は、透明かつ真空成型可能な樹脂製材料によって形成され、対応する収納スペース２ａ〜４ａ，２ｂ〜４ｂ，５ａに収納可能な形状を有する。ここで、第１および第２のテスタートレイ６，７には、今回展開する商品シリーズにおけるパウダーファンデーションのテスターが収納される。第３のテスタートレイ８には、商品シリーズ中のキーアイテム、すなわち、機能上または商品展開上、最も中心に位置づけられた商品のテスターが収納される。本実施形態において、第３のテスタートレイ８には、キーアイテムに相当するベース化粧品のテスターとコンシーラのテスターとが収納される。ここで、第１および第２のテスタートレイ６，７の幅は、ストッカー２〜５の肉厚を考慮して、共に225mm弱に設定され、第３のテスタートレイ８の幅は150mm弱に設定されている。したがって、第１の本体ストッカー２の各収納スペース２ａ，２ｂには、これらのテスタートレイ６〜８を１セットとして収納することができる。また、第４および第５のテスタートレイ９，１０には、リクイドファンデーション（チューブタイプ）のテスターが収納され、これらの幅は共に225mm弱に設定されている。したがって、第２の本体ストッカー３の各収納スペース３ａ，３ｂには、これらのテスタートレイ９，１０を１セットとして収納することができる。一方、第６のテスタートレイ１１には、商品シリーズ中のサブアイテムとなる商品のテスターが収納されるとともに、このトレイ１１の幅は150mm弱に設定されている。したがって、第３の本体ストッカー４の各収納スペース４ａ，４ｂには、このテスタートレイ１１を収納することができる。
【００１３】
本実施形態では、商品およびテスターの双方を陳列する場合と、テスターのみを陳列する場合とで、上述したパーツ２〜１１の組み合わせ方を変えることにより、用途に合致した形態および陳列構成を有する物品陳列台１が形成される。
【００１４】
物品陳列台１の用途が商品およびテスターの陳列である場合には、背面ストッカー５以外のパーツ２〜４，６〜１１を用いて、例えば、図２に示すような第１の形態が組み立てられる。第１の形態時には、３つの本体ストッカー２〜４が横一列に並べられる（Ｗ＝1200mm）。そして、この状態において、３つの前収納スペース２ａ〜４ａには、６つのテスタートレイ６〜１１が収納される。テスタートレイ６〜１１の配置については、収納スペース２ａ〜４ｂの幅との関係で生じる制約が許す限り任意である。同図に示した例では、３つのテスタートレイ６〜８がＷ＝600mmの第１の本体ストッカー２に収納されている。また、２つのテスタートレイ９，１０がＷ＝450mmの第２の本体ストッカー３に収納され、１つのテスタートレイ１１がＷ＝150mmの第３の本体ストッカー４に収納されている。なお、アイキャッチ効果の観点でいえば、横一列に並んだ前収納スペース２ａ〜４ａの略中央に、キーアイテム用の第３のテスタートレイ８を配置することが好ましい。また、同様の観点より、商品シリーズの中心色（今シーズンの新色）となるファンデーションのテスターが収納された第２および第４のテスタートレイ７，９は、キーアイテム用の第３のテスタートレイ８の左右に隣接させることが好ましい。また、３つの後収納スペース２ｂ〜４ｂには、テスターに応じた各種の商品群Ａが前段のテスターと位置的に対応して収納される。
【００１５】
一方、物品陳列台１の用途がテスターのみの陳列である場合には、パーツ３，５〜１１を用いて、例えば、図３に示すような第２の形態が組み立てられる。このケースでは、単一の第２の本体ストッカー３に加えて、背面ストッカー５が使用され、第１および第３の本体ストッカー２，４は使用しない。具体的には、Ｗ＝450mmの第２の本体ストッカー３の背面に、これと同幅の背面ストッカー５が配置される。この状態において、収納スペース３ａ，３ｂ，５ａには、６つのテスタートレイ６〜１１が収納される。テスタートレイ６〜１１の配置については、収納スペース２ａ〜４ｂの幅との関係で生じる制約が許す限り任意である。同図に示した例では、２つのテスタートレイ６，７が前収納スペース３ａに収納されている。また、２つのテスタートレイ９，１０が後収納スペース３ｂに収納され、２つのテスタートレイ８，１１が収納スペース５ａに収納されている。上述したように、３つの収納スペース３ａ，３ｂ，５ａの底部はこの順序で高くなっている。したがって、これらに収納されたテスタートレイ６〜１１の位置は、前段のテスタートレイ６，７、次段のテスタートレイ９，１０、後段のテスタートレイ８，１１の順に高くなる。このように、テスタートレイ６〜１１をひな段状に配置することで、すべてのテスターの見栄えと使い勝手との両立を図ることができる。なお、アイキャッチ効果の観点でいえば、キーアイテム用の第３のテスタートレイ８を後段（すなわち最上段）に配置することが好ましい。
【００１６】
このように、本実施形態によれば、物品陳列台１の形態および陳列構成を用途に応じて変えることで、収納力とコンパクト化との両立を図ることができる。すなわち、商品およびテスターを陳列する第１の形態時には、複数の本体ストッカー２〜４を並べて使用することにより、テスタートレイ６〜１１と商品とが収納される。したがって、商品とテスターとを収納するのに必要な収納力を十分に確保できる。これに対して、テスターのみを陳列する第２の形態時には、第１の形態時よりも少ない個数の本体ストッカー３を用いることで、第１の形態時よりも物品陳列台１をコンパクト化する。第２の形態時には、前後の収納スペース３ａ，３ｂにテスタートレイ６，７，９，１０が収納されるので、物品陳列台１をコンパクト化したとしても、テスターを収納するのに必要な収納力を確保できる。
【００１７】
また、本実施形態では、テスターのみの陳列時には、第２の本体ストッカー３の背面に背面ストッカー５を配置し、その収納スペース５ａにテスタートレイ８，１１を収納している。これにより、テスタートレイ６〜１１が３段のひな段状に配置されるので、物品陳列台１のデザインを損なうことなく、より大きな収納力を確保することができる。
【００１８】
なお、上述した実施形態では、第１の形態時に３つの本体ストッカー２〜４を横方向に並べているが、本発明は、複数のストッカーを用いていればよく、また、並べる方向も横方向に限定されるものではない。また、第２の形態時に単一の本体ストッカー３を用いた例について説明したが、第２の形態時に使用する本体ストッカーの個数は、第１の形態時に使用する個数よりも少なければよく、一つに限定されるものではない。
【００１９】
また、上述した実施形態では、本体ストッカー２〜４の底面を矩形状にしたものを例に説明したが、本発明はこれに限定されるものではなく、例えば、枠状の如く、底面が存在しない本体ストッカー２〜４に対しても同様に適用可能である。
【００２０】
さらに、上述した実施形態では、第２の形態時に背面ストッカー５を用いた例について説明したが、店頭の陳列スペースが狭い等の理由で、コンパクト化をより重視しなければならない状況では、図４に示すように背面ストッカー５を省いてもよい。
【図面の簡単な説明】
【００２１】
【図１】物品陳列台を構成するパーツ群の斜視図
【図２】第１の形態時における物品陳列台の組立斜視図
【図３】第２の形態時における一例としての物品陳列台の組立斜視図
【図４】第２の形態時における他の一例としての物品陳列台の組立斜視図
【符号の説明】
【００２２】
１  物品陳列台
２〜４  本体ストッカー
５  背面ストッカー
６〜１１  テスタートレイ
２ａ〜４ａ  前収納スペース
２ｂ〜４ｂ  後収納スペース
５ａ  収納スペース
【図１】
2005177369.tif 000003
【図２】
2005177369.tif 000004
【図３】
2005177369.tif 000005
【図４】
2005177369.tif 000006